(57)【要約】【課題】枕本体内を気密にすることができ、空気漏れを防止して快適に安眠できるとともに、内部に貴重品又は必需品を入れて使用し、これらを身近に保管できる空気枕を提供すること。【解決手段】内部に空気が充填される枕本体１１と、この枕本体１１内に連通する折曲げ開口部１２とを備えている空気枕１０であって、前記折曲げ開口部１２を、扁平筒状でその両側部１２ａをくびれた形状に形成したことを特徴とする。【選択図】  図２
2004159759.tif 000002
【特許請求の範囲】
【請求項１】
内部に空気が充填される枕本体と、この枕本体内に連通する折曲げ開口部とを備えている空気枕であって、
前記折曲げ開口部を、扁平筒状でその両側部をくびれた形状に形成したことを特徴とする空気枕。
【請求項２】
折曲げ開口部内に、扁平筒状の逆流防止弁を設けたことを特徴とする請求項１記載の空気枕。
【請求項３】
折曲げ開口部の端部に、弾性を有する封止材を設けたことを特徴とする請求項１又は２に記載の空気枕。
【発明の詳細な説明】
【０００１】
【発明の属する技術分野】
本発明は、空気枕に係り、特に枕本体内に貴重品を入れて身近に保管したり、氷や水を入れて水枕としても使用できる空気枕に関するものである。
【０００２】
【従来の技術】
従来、空気枕は、内部に空気が充填される枕本体と、この枕本体へ空気を送り込んで膨らませるための空気注入口とを備えており、使用の際に、当該充填された空気が頭を支えることにより、ソフトな感触で快適な寝心地を与えることができるものである。それ故、空気枕には、気密性が要求され、一旦内部に充填された空気を漏洩させない構造が必要とされている。そして、この従来の空気枕は、空気のみを入れることしか考えておらず、他のものを入れることは全く考えていない。
【０００３】
空気枕ではないが、枕本体内に物を充填できる枕として、水枕がある。その一例は、枕本体の一端に水出入口を有し、その水出入口を止金具で閉じて使用するものである。これに、空気注入口を設け、当該枕本体内に空気を充填して、頭が氷に触れず、ゴツゴツした感触を与えずソフトな感触を与えるものが提案されている。この水枕によれば、枕本体内に物を収納することができることから、病気時の緊急時使用として水や氷を収納するのみならず、平常時使用においても安全金庫を兼ねて、印鑑等を枕本体内へ入れて防犯に努めたり災害に備える使い方ができる（特許文献１参照）。
【０００４】
また、合成樹脂膜の品質の向上に伴って、水出入口を折畳んで係止することにより密封可能とした水枕が提案されている。その水枕の一例を図９とともに説明する。この水枕９０は、枕本体９１内に連通する折畳み可能な水出入口（以下、折曲げ開口部という。）９２の一端に弾力性を有する柱状の棒体９４を附設し、該棒体９４に折曲げ開口部９２を捲回した状態にて収納する袋部９８と、該袋部９８を係止する係止片９９とを折曲げ開口部９２の両側に配置してなる（特許文献２参照）。
【０００５】
さらに、折曲げ開口部を備えた水枕において、前記折曲げ開口部の内面に、折畳み線と平行に凸部と凹部とを結合することにより閉栓する水密手段を設けた水枕が提案されている（特許文献３参照）。
【０００６】
【特許文献１】実用新案登録第３０８４８３１号公報（請求項１，段落「０００８」、第１図）水枕
【特許文献２】実開昭４８−９４１８９号公報（請求項１，第１図）空気枕を兼ねた水枕
【特許文献３】実開昭５９−１６６２０号公報（請求項１，第５図）水枕
【０００７】
【発明が解決しようとする課題】
上述したように、従来の空気枕は、大径の口を有していないので、枕本体内に物を充填できなかった。仮に、枕本体に大径の口を設ける場合は、その口から物を出入れできるとともに、使用の際には、空気の漏洩を防止でき、枕本体内を気密にする必要があった。
【０００８】
この点、水枕を空気枕として使用する場合にも同課題が存在するところ、特許文献１の水枕は、水出入口を封止するために止金具を使用しており、例えば使用者が寝返りをした場合にこの止金具が頭に当たることもあって使用感が悪いと考えられる。特に乳幼児の場合には、皮膚が柔らかいので止金具で傷ついたり、炎症したりすることがあった。そして、なによりも止金具による締付け作業は非常に煩雑であった。
【０００９】
また、特許文献２の水枕を空気枕として利用する場合には、折曲げ開口部の両側部が直線状に形成されており、この開口部を折畳むに際して、一般に直線上にきっちりと折畳むことはできないから、開口部相互がぴったりと当接されず当該両側部に空気漏れ空間ができてしまう。一旦空気漏れ空間ができてしまうと、ここから空気が抜けてしまい枕本体内を気密状態に保つことができなかった。
【００１０】
空気漏れ空間ができる理由は、一般に、水枕の素材たるビニール等を溶断及び溶着する際には、図８に示すように、塊状のいわゆる「溶断（着）だま」ができるからである。このような、いわゆる「溶断（着）だま」ができていると、折畳んだ際に開口部相互がぴったりと当接されず、そこに空気漏れ空間を作ってしまうのである。また、これに前記直線上にきっちりと折畳むことができないこととも相まって空気漏れとなってしまっていた。
【００１１】
特許文献３の水枕は、折曲げ開口部の内面に凸部と凹部とを設けたことにより氷や水を枕本体内に密閉できるとするものであるが、特許文献２と同様の理由により枕本体内に空気を密閉するまでの気密性はなく、空気漏れとなってしまっていた。
【００１２】
したがって、従来の空気枕では物を収納することができないし、水枕では枕本体内に空気を密閉した状態に維持する気密性まではなく、空気漏れをおこしてしまい、空気枕として使用することができなかった。特に、頭を載せた場合に、枕本体への加圧により空気漏れが加速し、快適に頭を支持してくれる枕感触を得ることができなかった。
【００１３】
そこで、本発明は以上のような問題点に鑑みてなされたものであり、その目的は、枕本体内を気密にすることができ、空気漏れを防止して快適に安眠できるとともに、内部に貴重品又は必需品を入れて使用し、これらを身近に保管できる空気枕を提供することである。
【００１４】
【課題を解決するための手段】
上記課題を解決するため、本願請求項１記載の発明は、図面に使用する符号を付して説明すると、「内部に空気が充填される枕本体１１と、この枕本体１１内に連通する折曲げ開口部１２とを備えている空気枕１０であって、前記折曲げ開口部１２を、扁平筒状でその両側部１２ａをくびれた形状に形成した」ところに特徴を有するものである。ここで、扁平筒状とは、両端に口を有し、この口を介して物を収納又は排出可能に中空になっているものであって、この筒状物を折畳み可能に平たく形成したものをいうものとする。例えば２枚のシート状物を互いに対向する向きに配置させ、両側部を溶着させて内部を中空とするとともにその両端に口を形成したものが挙げられる。
【００１５】
すなわち、折曲げ開口部１２を、扁平筒状に形成するとともにその両側部１２ａをくびれた形状に形成したことにより、これを折畳んでいくと、図４及び５に示すように、その端部又は既に折畳まれた部分と、そこにこれから折畳まれる部分とは重なり合う面積に差異が出る。つまり、その折畳みに伴って折畳み始めから折り重なる面積が段々と狭くなり、また、あるところより折畳み終わりまではそれが段々と広くなって、同一面に折り重ならず、その面相互が密着する。このように両側部１２ａをくびれた形状にし、折畳み時の折曲げ開口部１２相互が密着することにより、空気漏れを防止することができる。勿論、従来のように直線上に折畳もうとする必要もなく、その作業が煩雑でない。また、いわゆる「溶断（着）だま」が形成されていても、同一面には折り重ならないから「溶断（着）だま」に影響されず、空気漏れ空間は形成されない。よって、折曲げ開口部１２をこのように形成したことにより、枕本体１１内が気密にされるのである。
【００１６】
また、上記課題を解決するために、請求項２記載の発明は、請求項１記載の空気枕１０において、「折曲げ開口部１２内に、扁平筒状の逆流防止弁１３を設けた」ところに特徴を有するものである。
【００１７】
すなわち、逆流防止弁１３を設けたことにより、例えば折曲げ開口部１２を折畳んでいない状態においても、枕本体１１の内圧により扁平筒状の弁、例えば合成樹脂膜等からなる薄膜フィルム面同士がより強固に圧接された状態となるため、枕本体１１内に充填された空気や水がその弁を通して逆流して外部に漏出されないのである。勿論、折畳んだ状態においては、折畳むことと逆流防止弁１３との相乗効果により空気漏れがより強固に防止されることはいうまでもない。
【００１８】
さらに、上記課題を解決するために、請求項３記載の発明は、請求項１又は２に記載の空気枕１０において、「折曲げ開口部１２の端部に、弾性を有する封止材１４を設けた」ところに特徴を有するものである。
【００１９】
すなわち、封止材１４を設けたことにより、折曲げ開口部１２の端部において相対する端部相互がぴったりと当接して封止できることはいうまでもなく、さらに、弾性を有することによりその状態を維持できるし、また折畳む際には、それに折曲げ開口部１２を折畳んでいくことで略中心に折畳まれ、芯材として機能するのである。
【００２０】
【発明の実施の形態】
本発明の実施の形態を実施例に基づき説明する。
（実施例１）
図１〜３は本発明の実施形態を示す図であり、これに基づき説明する。本発明に係る空気枕１０は、枕本体１１と、折曲げ開口部１２と、逆流防止弁１３と、封止材１４と、係止具１５と、空気注入口１６と、カバー１７とを備えている。なお、本発明品は、本願請求項１〜３の発明をすべて含むものである。
【００２１】
枕本体１１は、略長方形で袋状に形成してあり、その材料は弾性を有するゴム、合成樹脂等のシート材が挙げられ、特に可撓性材料を用いると良い。さらに不透明な材料を使用した場合には内部を容易に視認されず、貯（預）金通帳の保管使用として好ましい。勿論、例えば枕本体１１の裏面を透明にし、反転させたときにそこから枕本体１１内が見えるように形成しても良い。
【００２２】
折曲げ開口部１２は、図２に示すように、枕本体１１の一端に突設させた扁平筒状に形成してあり、その開口は一般の預金通帳が出し入れ可能な大きさに形成してある。そして、枕本体１１内に連通するように取付けてあり、その取付け位置は、枕本体１１の上端部近傍に取付けてある。さらに、その両側部１２ａを互いに内側へ湾曲する円弧状カーブを描くようにくびれた形状に形成してある。勿論、くびれた形状は、円弧状に限らず、例えば楕円形状であっても良いし、その他くびれ形状であればいかなる形状であっても良い。
【００２３】
逆流防止弁１３は、例えばポリエチレン、ポリプロピレン等の合成樹脂フィルムからなる薄膜を、扁平筒状に形成したものである。そして、その取付けは、図３に示すように、折曲げ開口部１２内の開口端と両側部１２ａに溶着して取付けてある。このように逆流防止弁１３の３辺を取付けることにより、使用中にしわがよったり、まるまってしまうことを防止できる。勿論、開口端と両側部１２ａに取付けることに何ら限定されるものではなく、折曲げ開口部１２内に設けてあれば良く、例えば開口端ではなく、内側にくびれた部分に取付けても良い。
【００２４】
封止材１４は、弾性を有する合成樹脂製で扁平棒状に形成してあり、折曲げ開口部１２の端部に被覆された状態で取付けてある。勿論、弾性を有していれば良く、例えばゴム製であっても良いし、その他いかなる材料であっても良い。
【００２５】
係止具１５は、公知の技術であって、例えばホック、雌雄面ファスナー等が挙げられる。本例においては、１対のホックを複数採用してあり、一方は枕本体１１に係止片を設けてこれに取付け、他方は折曲げ開口部１２に取付けてある。これらを、折曲げ開口部１２を折畳んだ後に互いに嵌合して、係止できるようにしてある。
【００２６】
空気注入口１６は、公知の技術であって、枕本体１１の他端側に設けてあり、その箇所は上記場所に限定されるものではなく、使用時に邪魔にならない場所であれば何処でも良い。また空気注入口１６には紐付きの栓が具備されており、さらに空気注入口１６内に逆止弁を設けてある。
【００２７】
カバー１７は、空気注入口１６を被覆するように枕本体１１の他端に設けたものであり、空気注入口１６をカバーするとともに、従来の水枕に設けられている係止片のように水枕使用後の乾燥のための係止片としても使用できるものである。
【００２８】
次に本発明の使用方法について説明する。図４に示すように、封止材１４を芯材として折畳んでいく。しばらくしてこのように封止材１４を中心軸として扁平渦巻き状に折畳んだ状態で、係止具１５を互いに嵌合させて係止させれば、折畳んだ状態が維持され、枕本体１１内の空気が漏出することがない。そして、空気注入口１６から栓を外し、空気を空気注入口１６から吹き入れて内部が適宜に膨らむまで行う。その際においても、空気注入口１６が逆止弁を備えていることにより、空気注入口１６からの空気漏れもなく、注入作業が容易である。
【００２９】
このように、空気枕１０によれば、枕本体１１内に連通した折曲げ開口部１２を、扁平筒状でその両側部１２ａがくびれた形状にしたことにより、折畳んだ際に同一面に折り重なることがなく、隙間なく折曲げ開口部１２が密着して折り重なり空気漏れ空間が生じるのを防止できる。また、図５に示すように、いわゆる「溶断（着）だま」が形成されていても同一面に折畳まないからこの密着状態は影響されない。よって、折曲げ開口部１２からの空気漏れを確実に防止することができる。
【００３０】
さらに、請求項２のごとく、折曲げ開口部１２内に扁平筒状の逆流防止弁１３を設けたことにより、空気や水の注入及び排出をこれを通して行うことができ、枕本体１１内に空気が充填された際には、折曲げ開口部１２が折畳みまれていない状態であっても枕本体１１の内圧によりフィルム面同士がより強固に圧接された状態となるため、枕本体１１内に充填された空気や水が逆流防止弁１３を通して外部に漏出を防止することができる。そして、多少の空気が充填されている場合に、折畳むときは、この密閉された空気の圧力によって逆流防止弁１３が圧接され、折畳み時の空気漏れもない。さらに、枕本体１１内に充填された空気は漏れることがないので、再度の空気注入をする手間もない。
【００３１】
また、請求項３のごとく、折曲げ開口部１２の端部に、弾性を有する封止材１４を設けたことにより、折曲げ開口部１２の折畳みの際の中心軸となるとともに、折曲げ開口部１２からの注入又は排出に際しては、指先にてこれを湾曲して片手にて開閉できる。
【００３２】
また、この枕本体１１内に、水枕のように氷を収納することが可能であり、また、例えば、図６に示すように、預金通帳や印鑑等の貴重品を折曲げ開口部１２から内部に入れることも可能である。空気枕１０は、図７のように、枕本体１１内が気密であるから、空気漏れが防止されて、快適に、安眠できるとともに、貴重品が枕元（内）に置かれた状態となり、しかも他の人が見ても単なる空気枕或いは水枕としか見えず、貴重品の盗難防止に効果的である。さらに災害時には、空気枕１０を持ち出せば、貴重品を探す手間が不要となるとともにに素早く且つ確実に貴重品を持出せる。
【００３３】
また、カバー１７を備えていることにより、水枕として使用した場合には、その後にカバー１７を物干し等に係止して乾燥させることができる。また、預金通帳等を収納して使用する場合には、災害時の持ち出しの際の取手として、或いは日常使用のバッグの取手として使用することができる。
【００３４】
以上、実施例に基づいて本発明を説明したが、本発明は上記実施例に何ら限定されるものではなく、本発明の趣旨を逸脱しない範囲内で種々の改良変形が可能である。
【００３５】
【発明の効果】
請求項１記載の空気枕によれば、折曲げ開口部を、扁平筒状でその両側部をくびれた形状に形成したことにより、内部に貴重品を入れて身近に保管することが可能な空気枕として使用できるとともに、枕本体内を気密にすることができ、空気漏れを防止して快適に安眠できるという効果を奏する。
【００３６】
さらに、請求項２記載の空気枕によれば、請求項１記載の空気枕の奏する効果に加えて、折曲げ開口部内に、扁平筒状の逆流防止弁を設けたことにより、折畳んでいない状態においても空気漏れを防止することができるという効果を奏する。
【００３７】
また、請求項３記載の空気枕によれば、請求項１又は２に記載の空気枕の奏する効果に加えて、折曲げ開口部の端部に、弾性を有する封止材を設けたことにより、折曲げ開口部の端部を封止して空気漏れをより防止することができるという効果を奏する。
【図面の簡単な説明】
【図１】本発明に係る空気枕を示す斜視図である。
【図２】折曲げ開口部を伸ばした状態を示す斜視図である。
【図３】図２における縦断面図である。
【図４】上記折曲げ開口部を折畳む様子を示す斜視図である。
【図５】折畳んだ状態の折曲げ開口部の断面を示す概念図である。
【図６】空気枕に通帳や印鑑を収納する様子を示す斜視図である。
【図７】通帳等の安全金庫として使用される状態を示す断面図である。
【図８】溶断（着）だまを示す断面図である
【図９】従来の水枕の折曲げ開口部を示す部分拡大図である。
【符号の説明】
１０    空気枕
１１    枕本体
１２    折曲げ開口部
１２ａ  両側部
１３    逆流防止弁
１４    封止弁
１５    係止具
１６    空気注入口
１７    カバー
【図１】
2004159759.tif 000003
【図２】
2004159759.tif 000004
【図３】
2004159759.tif 000005
【図４】
2004159759.tif 000006
【図５】
2004159759.tif 000007
【図６】
2004159759.tif 000008
【図７】
2004159759.tif 000009
【図８】
2004159759.tif 000010
【図９】
2004159759.tif 000011